(57)【要約】本発明は、生地におけるしわ抵抗を改善する組成物に関し、少なくとも１つの可溶性エラストマ及び架橋結合された粒子(cross-linked particles)から構成されるしわを減少させる活性成分と、この活性成分を坦持するための液体キャリアとを有する。本発明は、上記組成物に用いられるようなしわを減少させる活性成分と、上記組成物を収容しているアイロン用のカートリッジとにも関する。【特許請求の範囲】
【請求項１】
生地におけるしわ抵抗を改善する組成物であり、
−少なくとも１つの可溶性エラストマを有するしわを減少させる活性成分と、
−前記活性成分を坦持する液体キャリアと、
から構成される組成物において、前記しわを減少させる活性成分はさらに、化学的に架橋結合された粒子を少なくとも部分的に備えた充填剤を有することを特徴とする組成物。
【請求項２】
前記充填剤は、化学的に架橋結合された粒子から全て成ることを特徴とする請求項１に記載の組成物。
【請求項３】
前記充填剤は熱可塑性材料、好ましくはポリメタクリル酸メチルを備えることを特徴とする請求項１に記載の組成物。
【請求項４】
前記液体キャリアにおける活性成分の含有量は、重量で２％から６０％の間にあることを特徴とする請求項１、２又は３に記載の組成物。
【請求項５】
前記活性成分における充填剤の含有量は、重量で５％から５０％の間にあり、好ましくは重量で１０％から２０％の間にあることを特徴とする請求項１、２、３又は４に記載の組成物。
【請求項６】
前記エラストマは、水が存在する状態で５０℃から１５０℃の間に軟化温度を持つことを特徴とする請求項１乃至５の何れか一項に記載の組成物。
【請求項７】
請求項１乃至６の何れか一項に記載の組成物において、前記組成物は添加剤、好ましくは界面活性剤又は香料を備えていることを特徴とする組成物。
【請求項８】
請求項１乃至７の何れか一項に記載の組成物に用いられるようなしわを減少させる活性成分。
【請求項９】
アイロンに対し設計され、請求項１乃至７の何れか一項に記載の組成物を含むカートリッジ。
【発明の詳細な説明】
【技術分野】
【０００１】
本発明は、生地におけるしわ抵抗を改善するための組成物に関し、少なくとも１つの可溶性エラストマを有するしわを減少させる活性成分と、この活性成分を坦持する液体キャリアとから構成される。本発明は、上記組成物に用いられるようなしわを減少させる活性成分にも関する。本発明はさらに、上記組成物を使用することにより、生地におけるしわ抵抗を改善する方法にも関する。
【背景技術】
【０００２】
名前が示すように、ＩＷＷＲ(In-Wear Wrinkle Resistance)は、特に生地を身に付けている間に、その生地がしわの形成に逆らうことを可能にする所与の生地、例えば木綿の特性を意味している。ＩＷＷＲは、しわの形成に逆らうための所与の生地の能力を測定することにより評価される。しわ抵抗は一般的にＷＲＡ(Wrinkle Recovery Angle)試験により査定される。よく知られた標準的な試験は、ＡＡＴＣＣ方法66-1998である。このような試験は、平坦な状態に設定された生地が折り畳まれ、好ましくは６０秒間に５００ｇの一時的な負荷がかけられ、その後開放された後、この平坦な状態に回復する能力を評価する。この評価は、所与の時間（通例５分）後、回復した角度を測定すること（ＷＲＡ）により行われる。角度が大きいほど、よりよい回復である。角度は、縦糸及び横糸の両方向において測定され、この評価の最終結果となる。完全な弾性材料は、３６０°のＷＲＡを生み出す。完全な粘性材料は０°のＷＲＡを生み出す。
【発明の開示】
【発明が解決しようとする課題】
【０００３】
生地におけるしわの形成を減少させる組成物は既に知られている。米国特許US 5,532,023は、例えば生地に塗布することができるしわを減少させる組成物を開示している。この組成物は、効果的な量のシリコーンと、効果的な薄膜形成ポリマとから構成されるしわを減少させる活性成分を有し、この活性成分は液体キャリア内に分散している。特に、開示される組成物は、生地、特に洋服の繊維に対する、滑らかさの特性又は増大する滑り能力を与えるのに適している。繊維間におけるこの滑り効果は、シリコーンによって特に引き出されている。洋服の変形がこの洋服の繊維間における抵抗を減少させ、これが繊維において減少するエネルギー損失となり、さらに（これにより）本来の状態に向かう繊維の比較的良好且つ容易な抗変形(contra-deformation)（回復）となる。しかしながら、洋服の繊維間における抵抗を減少させることは、この洋服のしわ状態の形成も容易してしまう。開示される組成物を洋服に塗布することは、一般的に約２００°までのＷＲＡとなる。
【課題を解決するための手段】
【０００４】
本発明の目的は、生地のしわ状態の形成を容易にすることなく、生地におけるしわ抵抗を改善する新しい組成物を提供することである。
【０００５】
本発明のこの目的は、冒頭の段落に述べたような組成物により達成され、しわを減少させる活性成分はさらに、化学的に架橋結合された粒子を少なくとも部分的に備える充填剤を有することを特徴とする。架橋結合された粒子を備える充填剤を可溶性エラストマと共同して使用することは一般的に、従来技術による生地の回復よりもかなり高い生地の回復となる。本発明による組成物の塗布は、２００°よりかなり上のＷＲＡとなる。特に、本発明による活性成分は、通常の状況下において生地の繊維間に弾性ブリッジを形成するので、この生地の変形は通例、その本来の方向における繊維の永続的回復となる。これにより、架橋結合された粒子は、可溶性ポリマと共同して、繊維間における弾性結合に一定の記憶を供給し、これが繊維を曲げたり又は折り目をつけたりした後、比較的容易に回復することを可能にする。好ましくは、架橋結合された粒子は、可溶性エラストマのマトリックス状態で捕獲される。使用される架橋結合された粒子は、例えばポリブタジエン(polybutadiene)、天然ゴム、架橋結合されたポリジメチルシロキサン(polydimethylsiloxane)のような架橋結合されたシリコーン、及び高分子マイクロ繊維である。使用される可溶性エラストマは、脂肪族ポリエステルポリウレタン(aliphatic polyester polyurethane)、脂肪族ポリエーテルポリウレタン(aliphatic polyether polyurethane)、又は比較的低いガラス遷移温度（Ｔｇ）で、好ましくは８０：２０の比率であるアクリル酸ブチル及びアクリル酸からなるアクリレートコポリマ(acrylate copolymer)でよい。本発明の組成物に用いられる液体キャリアは、好ましくは水を含んだシステムである。任意には、水に加え、このキャリアが例えばアルコールのような水に十分溶解する他の液体溶剤を有してもよい。
【０００６】
本発明の好ましい実施例において、充填剤は、化学的に架橋結合された粒子から全部又は少なくとも殆どが構成される。この架橋結合された粒子の弾性特性はこれにより任意に利用することができる。例えば、Dow Corning C 1716（登録商標）のようなポリジメチルシロキサンが使用されてもよく、これは可溶性エラストマにより形成されるマトリックスに自分自身を直接結び付ける。
【０００７】
他の好ましい実施例において、充填剤は熱可塑性材料、好ましくはポリメチルメタクリレート(PMMA: polymethylmethacrylate)を備える。このやり方において、充填剤は特に少なくとも２つの組成物、すなわち充填剤に弾性特性を提供する架橋結合された組成物と、可溶性エラストマにより形成されるマトリックスに対する充填剤の結合力を向上させるための熱可塑性材料により形成される架橋結合されていない組成物と、を有する粒子からなる。本実施例による充填剤は、各層が特定の組成物からなるような層状様式で構成される。これにより、例えば、前記架橋結合された組成物により形成される弾性コアから少なくとも殆どが構成されるいわゆる“コア−シェル(core-shell)”の充填剤の粒子を供給することも可能である。このコアは前記熱可塑性材料の組成物により形成される殆ど弾力のないシェルで囲まれている。このコアに対する架橋結合された組成物として、例えばMerckのSBSコポリマーのEstapor（登録商標）のカルボキシ微粒子が用いられる。
【０００８】
好ましくは、充填剤の粒子は、少なくとも略球形形状である。しかしながら、好ましい実施例において、充填剤の粒子は少なくとも略繊維状形状、例えばマイクロ繊維である。所望される抗しわ効果を与えるための他の形状が用いられてよい。
【０００９】
液体キャリアにおける活性成分の含有量は、重量で２％から６０％の間である。これら値の間において、この液体キャリアにおける活性成分の良好な分散が得られ、維持される。前記パーセンテージが６０％を（大幅に）越える場合、一般的に、粘性のある制御不可能な分散が得られる。好ましくは、この活性成分における充填剤の含有量は、重量で１０％から３０％の間にあり、好ましくは重量で２０％である。このようにして、可溶性エラストマからなる安定したマトリックスが得られ、この中において架橋結合された充填剤が捕獲される。
【００１０】
本発明による組成物の実施例において、エラストマは水がある状態で５０℃から１００℃の間に軟化温度を持つ。上昇した温度でエラストマを容易に軟化することは一般的に、本発明による組成物を備えた生地のより糸の簡単な措置となる。この軟化した組成物の粘性は相対的にとても低く、これは、例えばこの生地にアイロンをかけている間、この生地がかなり暑くならないかぎり、ポリマがこの生地のしわを取り除く妨げとならないことを意味している。生地が冷めるとき、本発明による組成物は、より糸又は個々の繊維の周り及び間に弾性膜を形成するように凝固し、これにより処理された生地においてある程度の弾性を含む。その結果として、これがＷＲＡ値を大幅に改善する。
【００１１】
本発明による組成物の他の好ましい実施例において、活性成分は洗濯により取り除くことができる。洗濯により取り除くことができる可溶性エラストマが塗布される場合、一般的に、架橋結合された充填剤を含む活性成分は全体として洗い落とされる。洗濯により除去可能である可溶性エラストマの一例は、アクリル酸ブチル(butyl acrylate)及びアクリル酸からなり、好ましくは８０：２０の比率であるコポリマー(copolymer)から略構成される。しかしながら、洗濯では除去不可能又は少なくとも殆ど除去不可能である、より耐久性のある活性成分を塗布することも考えられる。このような耐久性のある活性成分の実施例は、脂肪族ポリエステルポリウレタン（Permutex（登録商標） RU 12-011）及び脂肪族ポリエーテルポリウレタン（Permutex（登録商標） RU-4049）である。
【００１２】
本発明による組成物は、添加剤がポリマの主要な機能の妨げとならない限り、例えば界面活性剤、香料、抗細菌性の添加剤、生地の繊維間の滑りを改善するためのシリコーン等のような添加剤を好ましくは備えている。例えば洗濯機又はアイロンのような家庭用品を用いて生地に化合物が塗布される場合、本発明による組成物において添加剤を用いることに非常に好適である。
【００１３】
本発明は、前記組成物に用いられるようなしわを減少させる活性成分、及びこの組成物を含み、アイロンにおいて使用するのに適しているカートリッジにも関する。
【００１４】
本発明はさらに、前記組成物を使用することにより生地におけるしわ抵抗を改善する方法にも関し、この方法は、
Ａ）生地に組成物を塗布するステップ、
Ｂ）生地のしわを取り除くステップ、及び
Ｃ）液体キャリアが少なくとも部分的に蒸発することを可能にするステップ、
を有する。通例生地に塗布される、特に噴霧される活性成分の量は、好ましくは重量で約０．１％から１０％であり、より好ましくは、生地の重量の約０．５％から約５％である。効果的な量の組成物が一度生地に噴霧されると、この生地は、ステップＢ）により手で引っ張ったり、又はしわを伸ばしたりされる。効果的な量の組成物が生地に塗布され、好ましくはしわを伸ばした後、液体、特に水分が少なくとも殆ど蒸発することを可能にする。この蒸発は、生地の温度を上げることによる積極的なやり方と同様に、受身的なやり方でも起こる。水分の蒸発は、可溶性エラストマの粒子が張り付て一緒になり、これにより生地の繊維及びより糸の周りに凝固した被覆を形成するので、一般的に関係がある。さらに、水分の蒸発は通例、生地のより糸におけるストレスの緩和にもなる。蓄えられたエネルギーの減少は、生地を設定した状態、すなわち平坦な状態で維持する。
【００１５】
好ましくは、ステップＡ）に従い生地に組成物を塗布することは、家庭用品を用いて達成される。上記家庭用品の例は、洗濯機、組成物を噴霧する貯蔵槽を備えたアイロン、及び本発明による組成物のための他の噴霧装置である。
【００１６】
本発明の好ましい実施例において、ステップＢ）に従い生地におけるしわを取り除くことは、周囲温度に比べ上昇した温度であるアイロンを用いて達成される。このようにして、ステップＣ）は、ステップＢ）を利用している間、通例使用される。これにより、この上昇した温度が、塗布される液体の加速する蒸発、及び可溶性エラストマの軟化の両方に至る。生地の冷却が通例弾性的な保護層となり、この層は、層が弾性ブリッジにより互いに結合されている生地の伸ばされたより糸の周りに形成される。本発明による方法を適用した後の生地の変形は、前記弾性ブリッジを一時的に伸ばしている。これは前記より糸を、ある時間の間、それ本来のしわが伸ばされた、しわの無い状態にしようとする。
【発明を実施するための最良の形態】
【００１７】
本発明はさらに、以下の限定ではない実施例と、特許請求の範囲に記載された組成物を含んでいるカートリッジを備えたアイロンを示している図とを用いて説明される。
【実施例１】
【００１８】
水中において、Permutex RU-4049（登録商標）４０％の水溶性乳濁液と、Estapor（登録商標）１０％のラテックスとの混合液（架橋結合したエラストマ状のポリスチレン−コ−ブタジエン(polystyrene-co-butadiene)コア及びカルボキシル化シェル(carboxylated shell)からなる１７５−２２５ｎｍのコア・シェル粒子）で構成される（重量で）１２．５％の分散は、Estapor（登録商標）の量がPermutex RU-4049（登録商標）に対し１０％（すなわち１：９）、故にこの分散の合計重量に対し１．２５％であるような比率で、前述した乳濁液を水と混合することにより作成される。この組成物は次いで、生地の重量に対し合計のピックアップが４０％であるような生地（タイプ４０７の木綿）の一片に噴霧される。この生地が乾いたとき、生地の重量の５％の付加するピックアップとなる。この生地は次いで、木綿に適した温度に設定されたアイロンを用いてこの生地が乾くまでアイロンがけされる。この生地を２４時間慣れさせた後、ＷＲＡは、標準的なAATCC方法66-1998に従って、４０ｍｍ×１５ｍｍの生地の一片に対し縦糸及び横糸の両方向において測定される。上記処理をした生地から得られる平均的なＷＲＡ値は、Permutex RU-4049（登録商標）を生地の重量の５％だけ塗布した後にアイロンがけされた生地とだけでなく、如何なる添加剤も塗布しないでアイロンがけされた生地に対し行われたＷＲＡ測定（基準値）とも比較される。結果は以下のテーブルにまとめられる。ここでPermutex RU-4049（登録商標）は、RU-4049と呼ばれ、Estapor（登録商標）ラテックスはEstaporと呼ばれる。
【００１９】
【表１】
2005536655.tif 000002
【実施例２】
【００２０】
水中において、Permutex RU-4049（登録商標）４０％の水溶性乳濁液と、Dow Corning 1716（登録商標）３０％の水溶性マイクロエマルジョン(aqueous microemulsion)（架橋結合されるＰＤＭＳ、ポリジメチルシロキサン）との混合液からなる（重量で）１２．５％の分散は、Dow Corning 1716（登録商標）の量がPermutex RU-4049（登録商標）に対しては２０％（すなわち１：４）、故にこの分散の合計重量の２．５％であるような比率で、前述したエラストマと水とを混合することにより作成される。この組成物は次いで、生地の重量に対し合計のピックアップが４０％であるような生地（タイプ４０７の木綿）の一片に噴霧される。これは、生地が乾いたとき、生地の重量の５％の付加するピックアップとなる。この生地は、木綿に適した温度に設定されたアイロンを用いてこの生地が乾くまでアイロンがけされる。この生地を２４時間慣れさせた後、ＷＲＡは、標準的なAATCC方法66-1998に従って、４０ｍｍ×１５ｍｍの生地の一片に対し縦糸及び横糸の両方向において測定される。上記処理をした生地から得られる平均的なＷＲＡ値は、Permutex RU-4049（登録商標）を生地の重量の５％だけ塗布した後にアイロンがけされた生地とだけでなく、如何なる添加剤を塗布しないでアイロンがけされた生地に対し行われたＷＲＡ測定（基準値）とも比較される。結果は以下のテーブルにまとめられる。ここでPermutex RU-4049（登録商標）は、RU-4049と呼ばれ、Dow Corning 1716（登録商標）は、DC-1716と呼ばれる。
【００２１】
【表２】
2005536655.tif 000003
【００２２】
図は、特許請求の範囲に記載の添加物の組成物を収容するための交換可能な貯蔵槽を備えるアイロンの実施例を示す。このアイロンは、ハウジング１、ソロプレート２、このソロプレートを熱する加熱素子３、添加剤の組成物５を収容するための交換可能な貯蔵槽及びスプレーノズル手段６を有する。この交換可能な貯蔵槽４は、硬質な合成樹脂のハウジングを備えたカセット又はカートリッジの一種でもよい。この交換可能な貯蔵槽４の底部７は、組成物５のための排出口８を備える。結合部９は前記底部７の下側に接続され、この結合部は、注入口が貯蔵槽４の排出口８と連絡し、排出口が排出口管１１において終わっているダクト１０を持っている。第１の好ましい実施例において、結合部９はカートリッジと一体化している。アイロンは、アイロンがけされるべき生地に組成物５が噴霧されるために、交換可能な貯蔵槽４からノズル手段６へ組成物５を送出する送出システム１２を有する。この送出システムは、その排出口がアイロンのハウジング内に置かれた電気ポンプ１４の注入口に接続されている第１のチャンネル１３と、その注入口が前記ポンプ１４の排出口に接続されている第２のチャンネル１５とを有する。第１のチャンネル１３の注入口は、結合部９の排出口管１１に結合するための結合スリーブ１６を備える。第２のチャンネル１５の排出口は結合スリーブ１７を備える。本発明によれば、交換可能な貯蔵槽４はノズル手段６を備える。このノズル手段は、開口部２０を持つノズル１９において終わるノズル管１８を有する。このノズル管１８の注入口は、前記第２のチャンネル１５の結合スリーブ１７に結合する結合管２１を形成する。交換可能な貯蔵槽４は、アイロンの空隙２２内に挿入される。ピボット式のカバー２３はこの空隙２２を閉じることができる。組成物の噴霧が望まれる場合、ユーザはノブ２４を押し下げることによりポンプ１４を始動する。このポンプは貯蔵槽４からチャンネル１３へ添加物の組成物５を吸引し、チャンネル１５及びノズル管１８を介してノズル１９へこの組成物を汲み上げる。ノズル手段６を含む交換可能な貯蔵槽４は、使い捨てのカートリッジとして実装されることができるため、新しいカートリッジ毎に、きれいなノズル手段を備える。
【図面の簡単な説明】
【００２３】
【図１】本発明による組成物を含んでいるカートリッジを備えたアイロンを示す図。
2005536655.tif 000004
【国際調査報告】
2005536655.tif 000005
2005536655.tif 000006
2005536655.tif 000007